(57)【要約】      （修正有）【課題】インターネット回線における喧騒を、効果的に平穏化するものであり、大衆回線としての国際的安定性と、商用回線としての信頼を増幅させる。【解決手段】サーバー及びブラウザー、そして版権書面に商用と大衆利用用の区別をＩＤにより付与し、さらに衛星プロトコルの存在をはさむことにより、宇宙的通信装置の想定が商慣行の発展と、安心した通信空間の形成を計ることができる。【選択図】図５
2008172744.tif 000002
【特許請求の範囲】
【請求項１】
国境を越えての、商用での電子通信文書に、衛星回線の利用枠を割りあてる機器。
【請求項２】
国際的な商取引上の空白段階の用紙に、版権としてのＩＤ（個有番号）を附与すること。その入力機。
【請求項３】
国際協定にもちいられるべき、国際特許印紙と、その発行機。
【請求項４】
電子文書の作成段階において、そのコンピューター信号の著作権に、ＪＡＶＡ言語を介在させない言語装置。
【発明の詳細な説明】
【技術分野】
【０００１】  本発明は、商用における国際通信の平穏化を図った宇宙的商用通信装置に関する。
【背景技術】
【０００２】  従来の汎用品における、国際的通信装置には、インターネット網を介しての、国境線の明確にならない回線網が使われている。【０００３】  従来のＪＡＶＡ言語の翻訳存在を、不明僚にしたオペレーティングシステム上での電子文書の作成段階では、文書（電子記録による）への版権としての価値を、不明僚にしていた。また文書の「新規作成」としてのコスト意識が感ぜられにくかった為に、空白用紙、または、規定用紙への未記入段階での、「新規作成」用紙に、ＩＤナンバーの概念を想定することが難しかった。【０００４】  旧来の特許権取得などの市場形成は、商品の占有率と権利規範などの台頭により必要以上に、国家間競合の圧力を助長するものであった。【０００５】  従来のＪＡＶＡ言語による翻訳を標準化し、プラットフォームを意識しないインターネット環境は、大衆紙的な紙面構成と、そのフリーペーパー的な版権感覚を持って、世界に受け入れられたが、新聞におきかえるならば、一般紙に必敵するような文書価値と、また通信回線（インターネット）をもちいての商取引に、不信感を助長する架想空間が形成されてしまった。【０００６】  また、ＩＰ番号などのプロトコル管理と、暗号化、登録化、認証システムなどの通信段階管理によって、その平穏化は保たれようとしてきた。
そして、この技術は、更に、国際的な均衡への不信感を残しつつ、家庭内機器への拡大利用へと、その回線網を広げつつある。【０００７】  マイクロソフト社の提示するＷｉｎｄｏｗｓ  Ｖｉｓｔａにおいては、商用と家庭内利用用の段階的区分けが意識され、また、プラットフォームの上に、オペレーティングシステムが構成されることを明示的に示している。そして、商用利用における、通信回線の末端は、イントラネットやアクセスポイント、または、地上波塔を介しての情報発信となり、えている。【０００８】  ＪＡＶＡ言語を著作権として扱う由へ技術背景は、侵とうだにしていないかのように見られるのが、各、ホームページ類などの作成者が版権としての閲覧、または視聴部数の管理を行えない状況にあり、プランター類の設地において、その購読や視聴者管理を派握するに至っても、出版界に見る再販価格維持制度に見るような、社会への秩序維持体系は組まれていない。
よって、商用の規植ある回線と、大衆性の余力に満ちた回線との並用状態にある。【０００９】  旧来のＰＨＳ通信網を使っての、Ｈ″、エッジを構成したＰＤＡ端末は、端末内にオペレーションシステムを乗せ、商用使用を意識しての機器構成をし、地上内波において、その発信を行っている。【００１０】  ｉ−モード、ｅｚ．ｗｅｂに見られる機器意匠は、携帯性への利便に優れ、商用における電子的紙面構成を図るには、仲介ソフトウェアーや接続ケーブルの手を借りることによって、商用利用での紙面構成を図れる段階である。
【発明の開示】
【発明が解決しようとする課題】
【００１１】  本発明は、国際的な通信回線を意図しての、摩擦を平穏化せんとするものであるが、国際特許に関する案件は、更なる躍新的な活力を求めて、開示の対称とするものではない。【００１２】  以上に述べた従来のインターネット回線では、商用としての国際的な回線形成に、不信感の残る箇所があった。【００１３】  本発明は、このような従来の構成が有していた問題を解決しようとするものであり、インターネット回線における喧騒を、効果的に平穏化するものであり、大衆回線としての国際的安定性と、商用回線としての信頼を増幅させるものである。
【課題を解決するための手段】
【００１４】  そして、本発明は、上記目的を達成するために、商用回線において、特に、国境を越えた回線利用が意図される時は、ＩＰプロトコル経路の中に、衛星番号を附与することができるとするものである。また、国際的な商取引上の文書（電子）または協定補完類に、版権としてのＩＤを附与するものである。そして、これを、実勢上の均衡化及び活性化に適さんとするために、国際特許の印紙を想定し、非開示とされる案件を判断されるものである。【００１５】  また、第２の解決手段として、商慣行における段階的規範意識、また、大衆に汎用されたインターネット回線への、増調をみるために、ＪＡＶＡ信号を介入させない装置を提案するものである。【００１６】  上記第１の課題解決手段による作用は、次の通りである。すなわち、上空に飛ぶ衛星を視覚的に確認し、国力によってロケット衛星の発射を体験的に見ることによって、自分達の手がける通信回線に絶対の安心感を持つものである。【００１７】  また、ＩＤ番号の附加により、国際的協調体系の中で、発明の躍新や創造の共有が行なわれうるとおくするものである。【００１８】  そして、第２の解決手段による作用は、国境を越えた企業体、また、外国の資本が流出入し、文書システムまたは、コンピューター言語として、海外、外国言語が内在する時に、ＪＡＶＡ言語などによる翻訳能力を、通時、検証しながら、同一国内における文書交換ができる点にある。
【発明の効果】
【００１９】  上述したように、本発明の宇宙的商用通信装置は大衆利用による地上的通信装置（インターネット）の平穏化と拡張性を増大させつつ、商用的な通信回線に信頼感と安心感を与え、発展度の高い国際回線を提供できる。【００２０】  また、ＩＤ番号の附与による文書管理、及び国益の管理システムが付髄されているため、国産衛星を持たない国においても衛星によるプロトコル管理と同等の電子紙面管理ができ、通信基盤の心理的遅れを気にせずに、社会の発展に貢献できるものである。
【発明を実施するための最良の形態】
【００２１】  以下、本発明の実施の形態を図１−図７に基づいて説明する。【００２２】  図において１は、ＰＤＡ、モバイル型の屋外使用端末において、直接に衛星波を送出している。【００２３】  ４は商用のサーバーを示し、公用サーバーと大衆用サーバーとは区別されている。【００２４】  ８は衛星波の送出塔であり、衛星波の送出が、小型化し、個別化されるまでの共有段階である。【００２５】  １０は、国境圏を衛星波が囲んでいるところであり、他国の衛星を仲介することによって、地球の裏側の対象者とも、衛星波でつながっている様子である。【００２６】  １２は、ＳＯＨＯ型においても衛星通信を行っており、１５は、ＩＤナンバーの記録された電子用紙である。１６は家庭内ロボットであり、ここでは、秘書型となっている。【００２７】  １７は共有型の家庭ロボットであり、１８のＩＤナンバーの記された文書を開くには、１９の端末によるなど、各々の利用者の鍵を符合させる必要がある。【００２８】  ２０は結界構成機であり、２２の有線回線により、モデムにつながれている。２１の複路構成により障害物のないアクセスポイントを得ることにより、無線速度の高速化を可能にしている。【００２９】  ２３のモデムシステムは、ＩＤナンバーのついた電子文書の送信に際しトーン信号をパルス信号に逆進化変換させるかのようなＪＡＶＡ言語の解訴を行い、第２の解決手段を、表わすものである。
【図面の簡単な説明】
【００３０】
【図１】本発明の心理的理想図である、宇宙的通信装置の概念図
【図２】商用型、公用型、大衆型を圧分けしたサーバーの構成図
【図３】衛星波への送信を共有したシステム段階図
【図４】宇宙空間を模した国境形成図
【図５】ＳＯＨＯ型での通信を想定しつつ、秘書型ロボットの配置でＩＤの電子文書を管理した概念図
【図６】大型ロボットによる共有作業を見ながら個別のケータイキーなどによって、ＩＤナンバーを管理した共有型想定図
【図７】家庭内の無線通信に結界構成での安心をあたえつつ、ＪＡＶＡ言語の逆解析によって、論理的に翻訳を介在させない構成図。
【符号の説明】
【００３１】１．衛星との通信波
２．衛星
３．衛星への送出カード
４．商用サーバー
５．公用サーバー
６．大衆用サーバー
７．サーバー選択の切りかえチップ
８．衛星波への送信塔
９．地上波への受信サーバー
１０．電波国境の形成図
１１．衛星間の通信波
１２．家庭用の衛星無線波送信機
１３．ホーム家電とつなぐホームコントローラー
１４．通信用モデム
１５．ＩＤナンバーの付与された電子文書
１６．秘書型のロボット
１７  共有型のロボット
１８  ＩＤナンバーに共有記号のある文書
１９．文書やメッセージを開示する鍵信号
２０．結界構成型アクセスポイント
２１．複路線
２２．有線ＬＡＮ回線
２３．ＪＡＶＡの介在とサーバーの選択を判断するモデム
【図１】
2008172744.tif 000003
【図２】
2008172744.tif 000004
【図３】
2008172744.tif 000005
【図４】
2008172744.tif 000006
【図５】
2008172744.tif 000007
【図６】
2008172744.tif 000008
【図７】
2008172744.tif 000009